(57)【特許請求の範囲】
【請求項１】
電話回線網を通じて、外部の電話装置と通信する機能としての第一通信機能と、コンピュータネットワークを通じて、外部のコンピュータと通信する機能としての第二通信機能とを有する通信装置であって、
入力装置から入力される利用者の操作情報に基づき、前記コンピュータネットワーク内のコンピュータが管理するデータであって、利用者により指定されたデータを、前記第二通信機能を用いて、前記コンピュータから取得するデータ取得手段と、
前記データ取得手段が取得したデータに基づく画像を印刷する画像出力手段と、
前記画像出力手段によって前記データ取得手段が取得したデータに基づく画像が印刷されたことを条件に、前記第一通信機能を用いて、この印刷に供された前記データに対応する電話装置に対し、発呼する発呼手段と、
を備えることを特徴とする通信装置。
【請求項２】
前記コンピュータネットワーク内のアドレスの情報と、このアドレスに対応する電話装置の識別情報と、を関連付けて記憶するデータベースから、データ取得先のアドレスの情報に関連付けられた電話装置の識別情報を取得する識別情報取得手段
を備え、
前記発呼手段は、前記画像出力手段によって前記データ取得手段が取得したデータに基づく画像が印刷されたことを条件に、前記識別情報取得手段が取得した電話装置の識別情報に基づき、前記印刷に供された前記データに対応する電話装置に対し、発呼する構成にされていることを特徴とする請求項１記載の通信装置。
【請求項３】
前記データ取得手段が取得したデータを、自装置に搭載された不揮発性の記憶媒体に記録するデータ記録手段、を備えることを特徴とする請求項１又は請求項２記載の通信装置。
【請求項４】
前記データベースは、所定の店舗毎に、店舗が有する電話装置の識別情報と、この店舗に関するデータの取得先を表すアドレスの情報と、を関連付けて記憶するデータベースであることを特徴とする請求項２記載の通信装置。
【請求項５】
前記店舗に関するデータの取得先を表すアドレスの情報は、店舗にて使用可能なクーポンを表すクーポンデータの取得先を表すアドレスの情報であることを特徴とする請求項４記載の通信装置。
【請求項６】
前記画像出力手段によって前記画像が印刷されると、発呼動作を行うか否かを利用者に対して問い合わせる問合せ手段
を備え、
前記発呼手段は、前記問合せ手段に対する応答動作により前記入力装置を通じて前記発呼動作を行う旨の入力操作がなされた場合に限って、前記印刷に供された前記データに対応する電話装置への発呼動作を行うこと
を特徴とする請求項１〜請求項５のいずれか１項に記載の通信装置。
【発明の詳細な説明】
【技術分野】
【０００１】
本発明は、電話回線網を通じて外部の電話装置と通信可能で、コンピュータネットワークを通じて外部のコンピュータと通信可能な通信装置に関する。
【背景技術】
【０００２】
従来、通信装置としては、電話回線網に接続された電話装置や、インターネット等のコンピュータネットワークに接続されたパーソナルコンピュータ、サーバ装置等が知られている。また、インターネット等のコンピュータネットワークに接続可能な通信装置としては、電話回線網を通じた音声通信及びファクシミリ通信が可能なディジタル複合機等（例えば、特許文献１参照）が知られている。
【０００３】
その他、通信装置を用いたシステムとしては、ファクシミリ装置間で通信を行うことにより、各種業務の予約を受付可能な電話予約システムが知られている。公知の電話予約システムとしては、例えば、予約受付側のファクシミリ装置から音声メッセージを予約者側のファクシミリ装置に送信して音声通信すると共に、予約者側のファクシミリ装置から予約受付側のファクシミリ装置にプッシュボタン信号が入力されると、予約受付側のファクシミリ装置が、このプッシュボタン信号を処理して、予約受付票のイメージデータを生成し、これを予約者側のファクシミリ装置に送信して、予約者側のファクシミリ装置に、予約受付票を印刷させる電話予約システムが知られている（特許文献２参照）。
【特許文献１】特開２００１−２２５３９号公報
【特許文献２】特開平９−４４５８１号公報
【発明の開示】
【発明が解決しようとする課題】
【０００４】
ところで、インターネット上に存在するサイトとしては、店舗が紹介されたサイトであって、クーポンデータ等をダウンロード可能なサイトが知られており、このクーポンデータを利用すれば、消費者は、対応する店舗で、商品や役務にかかる支払額の割引等を受けることができる。例えば、クーポンデータを印刷出力したものを店員に提示したり、クーポンデータを表示出力したもの（携帯端末等）を店員に提示することで、支払額の割引等を受けることができる。
【０００５】
しかしながら、クーポンデータについては、従来、消費者が自ら、インターネット上の該当サイトにアクセスして、これをダウンロードしなければならなかった。即ち、消費者は、電話予約のために店舗に電話する操作（電話番号の入力操作等）と共に、クーポンデータを、インターネット上のサイトから取得する操作を、装置（ディジタル複合機等）に対して行わなければならない場合があり、操作量の多さから煩わしさを感じることがあった。
【０００６】
本発明は、こうした問題に鑑みなされたものであり、複数種のネットワーク（電話回線網、及び、コンピュータネットワーク）内の関連する装置へのアクセスにかかる利用者の操作を低減することを目的する。
【課題を解決するための手段】
【０００７】
かかる目的を達成するためになされた本発明の通信装置は、利用者の操作情報に基づきコンピュータネットワークからデータを取得し、このデータに基づく画像を印刷した後に、この取得データに対応する電話装置に対し呼を発する構成にされたものである。
【０００８】
【０００９】
【００１０】
【００１１】
【００１２】
【００１３】
【００１４】
【００１５】
【００１６】
【００１７】
【００１８】
【００１９】
【００２０】
即ち、本発明（請求項１記載）の通信装置は、電話回線網を通じて、外部の電話装置と通信する機能としての第一通信機能と、コンピュータネットワークを通じて、外部のコンピュータと通信する機能としての第二通信機能とを有する通信装置であって、入力装置から入力される利用者の操作情報に基づき、コンピュータネットワーク内のコンピュータが管理するデータであって、利用者により指定されたデータを、第二通信機能を用いて、上記コンピュータから取得するデータ取得手段と、このデータ取得手段が取得したデータに基づく画像を印刷する画像出力手段と、この画像出力手段によってデータ取得手段が取得したデータに基づく画像が印刷されたことを条件に、上記第一通信機能を用いて、この印刷に供されたデータに対応する電話装置に対し、発呼する発呼手段と、を備える。
【００２１】
この通信装置では、データ取得手段及び画像出力手段と連動して、発呼手段が、取得データに対応する電話装置に対して呼を発する。従って、この通信装置によれば、複数種のネットワーク（電話回線網、及び、コンピュータネットワーク）にまたがる関連する装置へのアクセスにかかる利用者の操作を低減することができ、利用者は、簡単な操作で、コンピュータネットワークからデータを取得して、これを印刷媒体として出力し、このデータに対応する電話装置に、電話をかけることができる。特に、この通信装置によれば、取得データに基づく画像を印刷して利用者に対し持ち運び可能にデータを出力するので、利用者にとっては便利である。
【００２２】
例えば、データ取得手段がクーポンデータを取得し、画像出力手段が、このクーポンデータに基づきクーポンを印刷すると、発呼手段が、クーポンを使用可能な店舗の電話装置に対し発呼するように通信装置を構成すれば、利用者は、クーポンの取得と併せて、店舗の電話番号等を入力する操作をすることなく、店員と通話することができ、予約等の行為を簡単にすることができる。
【００２３】
尚、請求項１記載の通信装置は、電話装置に対応するデータと、電話装置の識別情報と、を関連付けて記憶するコンピュータネットワーク内の特定コンピュータから、利用者により指定されたデータを取得すると共に、このデータに対応する電話装置の識別情報を取得し、この識別情報に基づいて、取得データに対応する電話装置に対し発呼する構成にされてもよいし、請求項２記載のように構成されてもよい。
【００２４】
請求項２記載の通信装置は、コンピュータネットワーク内のアドレスの情報（例えば、ＵＲＬ（Uniform Resource Locator）の情報）と、このアドレスに対応する電話装置の識別情報と、を関連付けて記憶するデータベースから、データ取得先のアドレスの情報に関連付けられた電話装置の識別情報を取得する識別情報取得手段を備え、画像出力手段によってデータ取得手段が取得したデータに基づく画像が印刷されたことを条件に、発呼手段が、識別情報取得手段により取得された電話装置の識別情報に基づき、上記印刷に供されたデータに対応する電話装置に対し、呼を発する構成にされたものである。このように通信装置を構成すれば、データの提供側では、データ取得手段によって取得されるデータの実体を、上記データベースとは切り離して管理することができ、便利である。
【００２５】
また、上述した通信装置は、データ取得手段が取得したデータを、ＮＶＲＡＭ（フラッシュメモリ）やハードディスク装置等の不揮発性の記録媒体に記録するように構成することができる。
【００２６】
請求項３記載の通信装置は、データ取得手段が取得したデータを、自装置に搭載された不揮発性の記憶媒体に記録するデータ記録手段を備えるものである。この通信装置によれば、利用者にとって必要な時に、迅速に利用者に対しデータを提供することができる。
【００２７】
【００２８】
また、上述したデータベースとしては、請求項４記載のように、所定の店舗毎に、店舗が有する電話装置の識別情報と、この店舗に関するデータの取得先を表すアドレスの情報と、を関連付けて記憶するデータベースを挙げることができる。このデータベースに基づいて動作する通信装置によれば、電話での店舗に対する問合せや予約行為、及び、アクセスマップやクーポンデータ等の店舗に関するデータ取得行為の両行為を、利用者が簡単な操作で、連続して行うことができ、便利である。
【００２９】
更に言えば、店舗に関するデータの取得先を表すアドレスの情報としては、請求項５記載のように、店舗にて使用可能なクーポンを表すクーポンデータの取得先を表すアドレスの情報を挙げることができる。電話での店舗に対する問合せや予約行為、及び、クーポンデータ取得行為の両行為を、簡単な操作で、連続して行うことができるようにすれば、消費者による店舗の利用頻度が向上する。
【００３０】
この他、上述の通信装置は、請求項６記載のように、画像出力手段によって画像が印刷されると、発呼動作を行うか否かを利用者に対して問い合わせる問合せ手段を備え、問合せ手段に対する応答動作により入力装置を通じて発呼動作を行う旨の入力操作がなされた場合に限って、発呼手段が、印刷に供されたデータに対応する電話装置への発呼動作を行う構成にすることができる。
【００３１】
【００３２】
【００３３】
【００３４】
また、上述した通信装置（請求項１〜６）が備える各手段としての機能は、プログラムにより、コンピュータに実現させることができる。
【００３５】
【００３６】
【００３７】
【発明を実施するための最良の形態】
【００３８】
以下、本発明の実施例について図面と共に説明する。図１は、本発明が適用された通信システム１の構成を表す説明図である。
本実施例の通信システム１は、利用者毎のディジタル複合機１０と、広告サーバ３０と、予め登録された店舗毎の店舗サーバ４０及び電話装置５０と、からなる。この通信システム１においては、各ディジタル複合機１０と、広告サーバ３０と、各店舗サーバ４０とが、コンピュータネットワーク（具体的にはＴＣＰ／ＩＰネットワーク（所謂インターネット））に接続され、各ディジタル複合機１０と各店舗の電話装置５０とが電話回線網に接続されている。
【００３９】
この通信システム１における複合機１０は、装置内各部を統括制御する制御部１１と、オートドキュメントフィーダ（ＡＤＦ）等にセットされた原稿を光学的に読み取って画像データを生成する読取部１３と、ネットワークを通じて外部から受信した画像データや読取部１３にて生成された画像データに基づく画像を、用紙に形成（印刷）する印刷部１５と、不揮発性の記録媒体（ＮＶＲＡＭや、ハードディスク装置）により構成され各種プログラム及びデータを記憶する記憶部１７と、コンピュータネットワークに接続され、コンピュータネットワーク内の各装置と通信可能な通信部１９と、電話回線網に接続され、この電話回線網を通じて外部の電話装置５０と通信可能な電話通信部２１と、表示操作部２３と、を備える。
【００４０】
制御部１１は、図示しないＣＰＵ、ＲＯＭ、ＲＡＭ等から構成され、ＣＰＵにて各種プログラムを実行することにより、装置内各部を制御し、電話機能、ファクシミリ機能、コンピュータ通信機能（ＴＣＰ／ＩＰ通信機能）、コピー機能、スキャナ機能、及び、プリンタ機能を実現する。
【００４１】
また、記憶部１７は、ＵＲＬ情報記憶部１７ａ及びクーポンデータ記憶部１７ｂを備える。ＵＲＬ情報記憶部１７ａには、ＵＲＬ情報とタイトル情報とからなるブックマークデータが記憶され、クーポンデータ記憶部１７ｂには、クーポンデータとタイトル情報とからなるクーポン管理データが記憶される。
【００４２】
その他、表示操作部２３は、液晶ディスプレイ等からなる表示部２３ａと、利用者が操作可能な各種キーからなる操作部２３ｂとを有する。図２は、表示操作部２３の構成を示す説明図である。図２に示すように、表示操作部２３は、操作部２３ｂに、左右のカーソルキーＫ１，Ｋ２と、スタートキーＫ３と、キャンセルキーＫ４と、アスタリスク、シャープ及び０〜９までのキーからなる番号キー群Ｋ１０と、複写指令用のコピーキーＫ１１と、ファックス送信指令用のファックスキーＫ１２と、読取指令用のスキャンキーＫ１３と、インターネットキーＫ１４と、ブックマークキーＫ１５と、再印刷キーＫ１６と、を備える。また、この表示操作部２３には、図示しないハンドセットや、ハンズフリー用のスピーカ及びマイクロフォン等が設けられている。
【００４３】
また、広告サーバ３０は、図示しないＣＰＵ、ＲＯＭ、ＲＡＭを有し各種プログラムを実行する制御部３１と、コンピュータネットワークに接続され、コンピュータネットワーク内の各装置と通信可能な通信部３３と、ハードディスク装置等から構成され各種プログラムを記憶する記憶部３５と、を備える。また、この記憶部３５には、広告データと、当該広告サーバ３０への登録申請がなされた各店舗の店舗データと、各店舗の電話番号を示す発呼先データと、各店舗に対する問合せ回数を示す統計用の問合せ履歴データと、が記憶されている。
【００４４】
尚、図３（ａ）は、広告データの構成を表す説明図であり、図３（ｂ）は、店舗データの構成を表す説明図であり、図３（ｃ）は、発呼先データの構成を表す説明図であり、図３（ｄ）は、問合せ履歴データの構成を表す説明図である。また、図４（ａ）は、マークアップ言語を用いた広告データの構成例を示した説明図であり、図４（ｂ）は、マークアップ言語を用いた店舗データの構成例を示した説明図である。
【００４５】
図３（ａ）及び図４（ａ）に示すように、広告データには、登録申請がなされた各店舗毎の店舗名を表す情報と、店舗データの取得先を表すＵＲＬ情報と、が互いに関連付けられて記述されている。
【００４６】
また、図３（ｂ）及び図４（ｂ）に示すように、店舗データには、店舗名を表す情報と、店舗の紹介文と、店舗の識別情報としての店舗コードを含む店舗の電話番号の取得先を表すＵＲＬ情報と、当該店舗の店舗サーバ４０が保持するクーポンデータの取得先を表すＵＲＬ情報と、当該店舗の店舗サーバ４０が保持する詳細データの取得先を表すＵＲＬ情報と、が記述されている。
【００４７】
その他、図３（ｃ）に示すように、発呼先データには、登録申請がなされた各店舗毎の店舗コードと、その店舗の電話番号と、が互いに関連付けられて記述されている。また、図３（ｄ）に示すように、問合せ履歴データには、登録申請がなされた各店舗毎の店舗コードと、その店舗に対する問合せ回数を表す値（初期値ゼロ）と、が互いに関連付けられて記述されている。
【００４８】
また、各店舗サーバ４０は、図示しないＣＰＵ、ＲＯＭ、ＲＡＭを有し各種プログラムを実行する制御部４１と、コンピュータネットワークに接続され、コンピュータネットワーク内の各装置と通信可能な通信部４３と、ハードディスク装置等から構成され各種プログラムを記憶する記憶部４５と、を備える。また、この記憶部４５には、対応する店舗のクーポンデータ及び詳細データが記憶されている。尚、本実施例でいうクーポンデータとは、クーポン（割引券）の画像形成（印刷）に必要なデータ（画像データ）のことであり、詳細データは、店舗の詳細（アクセスマップ等）を示したデータのことである。
【００４９】
その他、記憶部４５には、店舗サーバ４０の操作者からの入力情報に従って、予約内容を示す予約受付票データを生成すると共に、この予約受付票データと予約受付番号とを関連付けて記憶部４５に書き込む処理を、制御部４１のＣＰＵに実行させるための予約受付票作成プログラムが記憶されている。
【００５０】
続いて、複合機１０が実行する処理について詳しく説明する。図５は、複合機１０が備えるインターネットキーＫ１４を、利用者が押下した場合に、複合機１０が実行する処理の流れを概略的に示した説明図である。
【００５１】
複合機１０の制御部１１は、インターネットキーＫ１４が押下されると、広告サーバ３０が保持する広告データを、通信部１９を介して、広告サーバ３０から取得し、この広告データに基づいて、広告データに登録された各店舗についての店舗名を表す文字列（図５に示す「居酒屋○○」「イタリアン△△」等）を配列してなる店舗一覧画面を、スクロール可能に表示部２３ａに表示する。
【００５２】
また、店舗一覧画面に基づいて、利用者がカーソルキーＫ１，Ｋ２を操作し特定の店舗にカーソルを合わせた状態でスタートキーＫ３を押下すると、制御部１１は、この押下時にカーソルが合わせられていた店舗に対応する店舗データを、広告データが示すＵＲＬ情報に基づいて、広告サーバ３０から通信部１９を介して取得し、この店舗データに基づいて、店舗名を表す文字列（図５に示す「イタリアン△△」）と、選択項目を表す文字列（図５に示す［１．電話  ２．クーポン  ３．詳細］）と、店舗の紹介文と、からなる店舗紹介画面を、スクロール可能に表示部２３ａに表示する。
【００５３】
また、この店舗紹介画面に従って、利用者がキー群Ｋ１０内のキー「１」を押下すると、制御部１１は、店舗データが示すＵＲＬ情報に基づいて、広告サーバ３０に店舗の電話番号を問合せ、この問合せの結果得られた電話番号先に、電話通信部２１を通じて呼を発し、対応する店舗に電話をかける。更に、この発呼後には、クーポン印刷確認画面を表示部２３ａに表示し、肯定の意志表示として、利用者がキー群Ｋ１０内のキー「１」を押下すると、店舗データが示すＵＲＬ情報に基づいて、クーポンデータを、店舗サーバ４０から取得し、このクーポンデータに基づく画像（クーポン）を印刷部１５に印刷させる。
【００５４】
その他、店舗紹介画面に従って、利用者がキー群Ｋ１０内のキー「２」を押下すると、制御部１１は、店舗データが示すＵＲＬ情報に基づいて、クーポンデータを、店舗サーバ４０から取得し、このクーポンデータに基づく画像（クーポン）を、印刷部１５に印刷させると共に、発呼確認画面を表示部２３ａに表示する。そして、肯定の意志表示として、利用者がキー群Ｋ１０内のキー「１」を押下すると、店舗データが示すＵＲＬ情報に基づいて、広告サーバ３０に店舗の電話番号を問合せ、この問合せの結果得られた電話番号先に、電話通信部２１を通じて呼を発し、対応する店舗に電話をかける。
【００５５】
また、店舗紹介画面に従って、利用者がキー群Ｋ１０内のキー「３」を押下すると、制御部１１は、店舗データが示すＵＲＬ情報に基づいて、詳細データを、店舗サーバ４０から取得し、この詳細データに基づく画像（アクセスマップ等）を、印刷部１５に印刷させる。尚、上述の処理は、本実施例において、制御部１１が、常時繰返し図６に示すメイン処理を実行することにより実現される。図６は、制御部１１が繰返し実行するメイン処理を表すフローチャートである。
【００５６】
メイン処理を開始すると、制御部１１は、利用者が表示操作部２３を操作することにより、表示操作部２３から利用者の操作情報が入力されるまで待機し（Ｓ１１０）、操作情報が入力されると（Ｓ１１０でＹｅｓ）、入力された操作情報に基づき、利用者の操作が、発呼操作であるか否かを判断する（Ｓ１２０）。具体的には、オフフックを示す操作情報が表示操作部２３から入力されると、利用者の操作が発呼操作であると判断する。そして、利用者の操作が、発呼操作であると判断すると（Ｓ１２０でＹｅｓ）、Ｓ１３０に移行し、発呼操作受付処理を実行する。尚、図７は、制御部１１が実行する発呼操作受付処理を表すフローチャートである。
【００５７】
発呼操作受付処理を開始すると、制御部１１は、表示操作部２３を通じて利用者から入力された電話番号先に、電話通信部２１を通じて呼を発し（Ｓ４１０）、入力された電話番号先と当該複合機１０とを電話通信可能に接続する。また、この処理後には、Ｓ４２０に移行し、広告サーバ３０に、入力された電話番号に対応する店舗データを保持しているか否かを、通信部１９を通じて問合せる。尚、複合機１０の記憶部１７には、問合せ先を表すＵＲＬ情報が記憶されており、制御部１１は、このＵＲＬ先に対し、上記利用者から入力された電話番号を格納した店舗データの有無についての問合せデータを、通信部１９を介して送信することにより、広告サーバ３０に、入力された電話番号に対応する店舗データを有しているか否かを問合せる。
【００５８】
また、Ｓ４２０での処理を終了すると、制御部１１は、Ｓ４３０に移行し、広告サーバ３０から送信されてくる応答データを、通信部１９を介して受信するまで待機し、応答データを受信すると、Ｓ４４０に移行して、この応答データに基づき、広告サーバ３０が上記利用者から入力された電話番号に対応する店舗データを有しているか否かを判断する。そして、店舗データを有していないと判断すると（Ｓ４４０でＮｏ）、当該発呼操作受付処理を終了し、店舗データを有していると判断すると（Ｓ４４０でＹｅｓ）、Ｓ４５０に移行して、応答データが示すＵＲＬ情報に基づき、このＵＲＬ先に格納された店舗データを、通信部１９を介し、広告サーバ３０に要求する。
【００５９】
また、Ｓ４５０での処理を終えると、制御部１１は、Ｓ４６０に移行し、要求した店舗データを、広告サーバ３０から通信部１９を介して受信するまで待機する。そして、店舗データを受信すると、Ｓ４７０に移行し、受信した店舗データについての取得先ＵＲＬを、ブックマーク登録する。具体的には、上記取得先ＵＲＬを示したＵＲＬ情報と、店舗データが示す店舗名を記したタイトル情報と、からなるブックマークデータを生成して、これをＵＲＬ情報記憶部１７ａに登録する。尚、同一店舗についてのブックマークデータが既にＵＲＬ情報記憶部１７ａに登録されている場合には、このブックマークデータに上書きするようにして、上記生成したブックマークデータをＵＲＬ情報記憶部１７ａに登録する。
【００６０】
また、Ｓ４７０での処理を終えると、制御部１１は、Ｓ４８０に移行し、クーポン印刷確認画面を、表示部２３ａに表示し、その後、利用者により肯定の意志表示を示す操作として、「１」キーの押下操作がなされるか、否定の意志表示を示す操作として、「２」キーの押下操作がなされるまで待機する。そして、「２」キーの押下操作がなされると、クーポン印刷の実行が禁止されたと判断し（Ｓ４９０でＮｏ）、Ｓ５１０〜Ｓ５４０までの処理を実行することなく、Ｓ５５０に移行して、Ｓ４６０で受信した店舗データに基づく店舗紹介処理（図８参照）を実行する。また、Ｓ５５０における店舗紹介処理を終えると、制御部１１は、当該発呼操作受付処理を終了し、Ｓ１１０に移行する。
【００６１】
一方、クーポン印刷確認画面に従って、利用者が「１」キーの押下操作を行うと、制御部１１は、クーポン印刷の実行が許可されたと判断して（Ｓ４９０でＹｅｓ）、Ｓ５１０に移行し、店舗データが示すクーポンデータの取得先を表すＵＲＬ情報（図４（ｂ）に示すｃｏｕｐｏｎ＿ＵＲＬタグに囲まれたＵＲＬ情報）に基づき、対応する店舗サーバ４０に、クーポンデータを通信部１９を介して要求する。また、Ｓ５１０の処理を終了すると、制御部１１は、Ｓ５２０に移行し、店舗サーバ４０から送信されてくる応答データとしてのクーポンデータを、通信部１９を介して受信するまで待機し、クーポンデータを受信すると、Ｓ５３０に移行して、受信したクーポンデータを、印刷部１５を介し印刷出力する。即ち、印刷部１５を制御して、クーポンデータに基づく画像（クーポン）を印刷部１５に印刷させる。
【００６２】
また、Ｓ５３０での処理を終えると、制御部１１は、Ｓ５４０に移行して、受信したクーポンデータを、クーポンデータ記憶部１７ｂに書き込む。具体的には、受信したクーポンデータと、店舗データが示す店舗名を記したタイトル情報と、からなるクーポン管理データを生成し、これをクーポンデータ記憶部１７ｂに保存する。その後、制御部１１は、Ｓ５５０に移行し、店舗紹介処理を実行する。そして、Ｓ５５０における店舗紹介処理を終了すると、当該発呼操作受付処理を終了して、Ｓ１１０に移行する。
【００６３】
その他、Ｓ１２０において、利用者の操作が、発呼操作ではないと判断すると（Ｓ１２０でＮｏ）、制御部１１は、表示操作部２３から入力された利用者の操作情報に基づき、利用者の操作が、広告閲覧操作であるか否かを判断する（Ｓ１４０）。具体的に、本実施例では、入力された利用者の操作情報が、インターネットキーＫ１４の押下操作を示す情報である場合、利用者の操作が、広告閲覧操作であると判断する。
【００６４】
Ｓ１４０で、利用者の操作が、広告閲覧操作であると判断すると、制御部１１は、Ｓ１５０に移行し、記憶部１７が記憶する広告データの取得先を表すＵＲＬ情報に基づき、広告サーバ３０に対し、広告データを通信部１９を介して要求する。また、Ｓ１５０での処理を終えると、制御部１１は、Ｓ１６０に移行し、応答データとして、広告サーバ３０から要求した広告データを、通信部１９を介して受信するまで待機し、広告データを受信すると、Ｓ１７０に移行して、受信した広告データに基づき、広告一覧画面を、表示部２３ａに表示する。尚、この際には、広告データに格納された各店舗の店舗名を表す情報に基づいて、各店舗の店舗名を表す文字列を配列してなる上記広告一覧画面を、表示部２３ａに表示すると共に、一覧の先頭に配置した店舗の文字列にカーソルを配置する。
【００６５】
また、Ｓ１７０での処理を終えると、制御部１１は、Ｓ１８０に移行し、利用者が表示操作部２３を操作することにより、表示操作部２３から利用者の操作情報が入力されるまで待機する。
【００６６】
そして、利用者の操作情報が入力されると（Ｓ１８０でＹｅｓ）、制御部１１は、入力された操作情報に基づき、利用者の操作が、カーソル操作であるか否かを判断する（Ｓ１９０）。具体的には、入力された操作情報が、カーソルキーＫ１，Ｋ２の押下操作を示す情報である場合には、利用者の操作が、カーソル操作であると判断する。
【００６７】
また、利用者の操作がカーソル操作であると判断すると（Ｓ１９０でＹｅｓ）、制御部１１は、Ｓ２００に移行し、カーソル操作の内容に従って、広告一覧画面を更新し、広告一覧画面におけるカーソル位置を、別店舗の文字列に合わせる。その後、Ｓ１８０に移行する。
【００６８】
一方、利用者の操作がカーソル操作ではないと判断すると（Ｓ１９０でＮｏ）、制御部１１は、Ｓ２１０に移行し、利用者の操作が店舗の選択確定操作であるか否かを判断する。具体的には、入力された操作情報が、スタートキーＫ３の押下操作を示す情報である場合に、利用者の操作が店舗の選択確定操作であると判断する。
【００６９】
そして、利用者の操作が選択確定操作であると判断すると（Ｓ２１０でＹｅｓ）、制御部１１は、Ｓ２２０に移行し、選択された店舗についての店舗データの取得先を表すＵＲＬ情報に基づき、選択された店舗に対応する店舗データを、広告サーバ３０に対して通信部１９を介し要求する。その後、制御部１１は、要求した店舗データを、広告サーバ３０から通信部１９を介して受信するまで待機し（Ｓ２３０）、店舗データを受信すると、Ｓ２４０に移行して、Ｓ２３０で受信した店舗データに基づく店舗紹介処理（図８参照）を実行する。
【００７０】
また、Ｓ２４０における店舗紹介処理を終了すると、制御部１１は、Ｓ２５０に移行し、既に受信済みの広告データに基づいた広告一覧画面を、表示部２３ａに表示する。尚、この際には、カーソル位置を、店舗紹介処理に移行する前の位置に合わせて、広告一覧画面を表示する。このようにして、Ｓ２５０での処理を終えると、制御部１１は、Ｓ１８０に移行する。
【００７１】
その他、Ｓ２１０にて、利用者の操作が店舗の選択確定操作ではないと判断すると（Ｓ２１０でＮｏ）、制御部１１は、Ｓ２６０に移行し、利用者の操作がキャンセル操作であるか否かを判断する。具体的には、入力された操作情報が、キャンセルキーＫ４の押下操作を示す情報である場合に、利用者の操作がキャンセル操作であると判断する。
【００７２】
そして、利用者の操作がキャンセル操作であると判断すると（Ｓ２６０でＹｅｓ）、当該メイン処理を一旦終了して、Ｓ１１０に移行し、利用者の操作がキャンセル操作ではないと判断すると（Ｓ２６０でＮｏ）、Ｓ２７０に移行し、利用者の操作に対応した処理（例えば、拒否音の出力処理等）を実行した後、Ｓ１８０に移行する。
【００７３】
一方、Ｓ１４０において、利用者の操作が、広告閲覧操作ではないと判断すると（Ｓ１４０でＮｏ）、制御部１１は、表示操作部２３から入力された利用者の操作情報に基づき、利用者の操作が、ブックマーク操作であるか否かを判断する（Ｓ３００）。具体的に、本実施例では、ブックマークキーＫ１５が押下されると、利用者の操作が、ブックマーク操作であると判断する。
【００７４】
そして、利用者の操作が、ブックマーク操作であると判断すると（Ｓ３００でＹｅｓ）、Ｓ３１０に移行し、ＵＲＬ選択画面を表示部２３ａに表示する。尚、ＵＲＬ選択画面は、ＵＲＬ情報記憶部１７ａが記憶する各ブックマークデータのタイトルを一覧表示してなるものである。
【００７５】
また、このＵＲＬ選択画面に基づいて、利用者が、ＵＲＬ選択画面に表示されたタイトルの一つを選択すると、制御部１１は、利用者により選択されたタイトルに対応するブックマークデータのＵＲＬ情報に基づき、対応する店舗データを、通信部１９を介し広告サーバ３０に要求する（Ｓ３２０）。その後、制御部１１は、要求した店舗データを、広告サーバ３０から通信部１９を介して受信するまで待機し（Ｓ３３０）、店舗データを受信すると、Ｓ３４０に移行して、Ｓ３３０で受信した店舗データに基づく店舗紹介処理（図８参照）を実行する。そして、Ｓ３４０における店舗紹介処理を終了すると、当該メイン処理を一旦終了し、Ｓ１１０に移行する。
【００７６】
その他、Ｓ３００において、利用者の操作が、ブックマーク操作ではないと判断すると（Ｓ３００でＮｏ）、制御部１１は、Ｓ３５０に移行し、利用者の操作が、再印刷操作であるか否かを判断する。具体的に、本実施例では、再印刷キーＫ１６が押下されると、利用者の操作が、再印刷操作であると判断する。
【００７７】
そして、利用者の操作が、再印刷操作であると判断すると（Ｓ３５０でＹｅｓ）、制御部１１は、Ｓ３６０にて、データ選択画面を、表示部２３ａに表示する。尚、データ選択画面は、クーポンデータ記憶部１７ｂが記憶する各クーポン管理データのタイトルを一覧表示してなるものである。
【００７８】
また、このデータ選択画面に基づき、利用者が、データ選択画面に表示されたタイトルの一つを選択すると、制御部１１は、Ｓ３７０に移行して、利用者により選択されたタイトルに対応するクーポン管理データが含むクーポンデータを、印刷部１５を通じて印刷出力する。即ち、印刷部１５を制御して、利用者に選択されたクーポンデータに基づく画像（クーポン）を用紙に印刷する。その後、制御部１１は、当該メイン処理を一旦終了し、Ｓ１１０に移行する。
【００７９】
その他、利用者の操作が、再印刷操作ではないと判断すると（Ｓ３５０でＮｏ）、制御部１１は、Ｓ３９０に移行して、利用者の操作に対応した処理を実行した後、当該メイン処理を終了し、その後、Ｓ１１０に移行する。
【００８０】
次に、制御部１１が、Ｓ２４０，Ｓ３４０，Ｓ５５０で実行する店舗紹介処理について説明する。図８は、制御部１１が実行する店舗紹介処理を表すフローチャートである。
店舗紹介処理を実行すると、制御部１１は、発呼フラグ及び印刷フラグをリセットして、これらフラグの値をＲＡＭに記憶すると共に（Ｓ６０５）、先に（Ｓ２３０又はＳ３３０又はＳ４３０で）受信した店舗データに基づき、店舗紹介画面（図５参照）を、表示部２３ａに表示する（Ｓ６１０）。
【００８１】
また、Ｓ６１０での処理を終えると、制御部１１は、利用者が表示操作部２３を操作することにより、表示操作部２３から利用者の操作情報が入力されるまで待機し（Ｓ６２０）、利用者の操作情報が入力されると（Ｓ６２０でＹｅｓ）、Ｓ６３０に移行し、この操作情報に基づいて、利用者の操作がキャンセル操作（キャンセルキーＫ４の押下操作）であるか否かを判断する。そして、利用者の操作がキャンセル操作であると判断すると（Ｓ６３０でＹｅｓ）、当該店舗紹介処理を終了し、利用者の操作がキャンセル操作ではないと判断すると（Ｓ６３０でＮｏ）、Ｓ６４０に移行する。
【００８２】
また、Ｓ６４０に移行すると、制御部１１は、利用者の操作が発呼操作であるか否かを判断する。具体的には、入力された操作情報が、「１」キーの押下操作を示す情報である場合には、利用者の操作が発呼操作であると判断し、それ以外の情報である場合には、利用者の操作が発呼操作ではないと判断する。
【００８３】
そして、利用者の操作が発呼操作であると判断すると（Ｓ６４０でＹｅｓ）、制御部１１は、Ｓ６５０に移行し、店舗データに記された店舗の電話番号の取得先を表すＵＲＬ情報（図４（ｂ）に示すｐｈｏｎｅ＿ＵＲＬタグに囲まれたＵＲＬ情報）に基づき、店舗データが示す当該店舗の店舗コード（ＵＲＬ情報に引数として記述された店舗コード（図４（ｂ）に示す「ＩＤ００００」））を格納した電話番号についての問合せデータを、通信部１９を介して、広告サーバ３０に送信する。制御部１１は、この動作により、広告サーバ３０に店舗の電話番号を問合せる。
【００８４】
その後、制御部１１は、Ｓ６６０に移行して、電話番号が記された応答データを、広告サーバ３０から通信部１９を介して受信するまで待機し、広告サーバ３０から応答データを受信すると、Ｓ６７０に移行して、応答データに記された電話番号先の電話装置５０に呼を発し、応答データに記された電話番号先の電話装置５０との接続を確立する。
【００８５】
また、Ｓ６７０での処理を終えると、制御部１１は、Ｓ６８０に移行し、先に受信し表示処理した店舗データについての取得先ＵＲＬを、ブックマーク登録する。即ち、店舗データの取得先ＵＲＬを表すＵＲＬ情報と、店舗データが示す店舗名を記したタイトル情報と、からなるブックマークデータを生成し、これをＵＲＬ情報記憶部１７ａに登録する。尚、同一店舗についてのブックマークデータが既にＵＲＬ情報記憶部１７ａに登録されている場合には、このブックマークデータに上書きするようにして、上記生成したブックマークデータをＵＲＬ情報記憶部１７ａに登録する。
【００８６】
その他、Ｓ６８０での処理を終えると、制御部１１は、Ｓ６９０に移行して、発呼フラグをセットし、その後、Ｓ７００にて、印刷フラグがセットされた状態であるか否かを判断する。そして、印刷フラグがセットされた状態ではないと判断すると（Ｓ７００でＮｏ）、Ｓ７１０に移行し、印刷フラグがセットされた状態であると判断すると（Ｓ７００でＹｅｓ）、Ｓ７１０に移行せずに、Ｓ６１０に移行する。
【００８７】
また、Ｓ７１０に移行すると、制御部１１は、クーポン印刷確認画面（図５参照）を表示部２３ａに表示し、その後、Ｓ７２０に移行して、利用者により肯定の意志表示を示す操作として、「１」キーの押下操作がなされるか、否定の意志表示を示す操作として、「２」キーの押下操作がなされるまで待機する。そして、「２」キーの押下操作がなされると、クーポン印刷の実行が禁止されたと判断して（Ｓ７２０でＮｏ）、Ｓ６１０に移行し、「１」キーの押下操作がなされると、クーポン印刷の実行が許可されたと判断して（Ｓ７２０でＹｅｓ）、Ｓ７４０に移行する。
【００８８】
その他、Ｓ６４０で、利用者の操作が発呼操作ではないと判断すると（Ｓ６４０でＮｏ）、制御部１１は、Ｓ７３０に移行し、利用者の操作がクーポン印刷操作であるか否かを判断する。具体的には、入力された操作情報が、「２」キーの押下操作を示す情報である場合、利用者の操作がクーポン印刷操作であると判断し、それ以外の情報である場合には、利用者の操作がクーポン印刷操作ではないと判断する。そして、利用者の操作がクーポン印刷操作であると判断すると（Ｓ７３０でＹｅｓ）、Ｓ７４０に移行し、利用者の操作がクーポン印刷操作ではないと判断すると（Ｓ７３０でＮｏ）、Ｓ８２０に移行する。
【００８９】
Ｓ７４０に移行すると、制御部１１は、店舗データが示すクーポンデータの取得先を表すＵＲＬ情報に基づき、対応する店舗サーバ４０に、通信部１９を介してクーポンデータを要求する。また、Ｓ７４０での処理を終了すると、Ｓ７５０に移行し、店舗サーバ４０から送信されてくる応答データとしてのクーポンデータを、通信部１９を介して受信するまで待機する。そして、クーポンデータを受信すると、Ｓ７６０に移行して、受信したクーポンデータを、印刷部１５に印刷出力させる。
【００９０】
また、Ｓ７６０での処理を終えると、制御部１１は、Ｓ７７０に移行して、受信したクーポンデータを、クーポンデータ記憶部１７ｂに書き込む。具体的には、受信したクーポンデータと、店舗データが示す店舗名を記したタイトル情報と、からなるクーポン管理データを生成し、これをクーポンデータ記憶部１７ｂに保存する。その後、制御部１１は、Ｓ７８０に移行して、印刷フラグをセットし、Ｓ７９０に移行する。
【００９１】
また、Ｓ７９０に移行すると、制御部１１は、発呼フラグがセットされた状態であるか否かを判断し、発呼フラグがセットされた状態ではないと判断すると（Ｓ７９０でＮｏ）、Ｓ８００に移行し、発呼フラグがセットされた状態であると判断すると（Ｓ７９０でＹｅｓ）、Ｓ８００に移行せずに、Ｓ６１０に移行する。
【００９２】
Ｓ８００に移行すると、制御部１１は、発呼確認画面（図５参照）を表示部２３ａに表示し、その後、利用者により肯定の意志表示を示す操作として、「１」キーの押下操作がなされるか、否定の意志表示を示す操作として、「２」キーの押下操作がなされるまで待機する（Ｓ８１０）。そして、「２」キーの押下操作がなされると、発呼が禁止されたと判断して（Ｓ８１０でＮｏ）、Ｓ６１０に移行し、「１」キーの押下操作がなされると、発呼が許可されたと判断して（Ｓ８１０でＹｅｓ）、Ｓ６５０に移行する。
【００９３】
その他、制御部１１は、Ｓ８２０に移行すると、利用者の操作が詳細印刷操作であるか否かを判断する。具体的には、入力された操作情報が、「３」キーの押下操作を示す情報である場合、利用者の操作が詳細印刷操作であると判断し、それ以外の情報である場合には、利用者の操作が詳細印刷操作ではないと判断する。
【００９４】
そして、利用者の操作が詳細印刷操作であると判断すると（Ｓ８２０でＹｅｓ）、制御部１１は、Ｓ８３０に移行し、店舗データが示す詳細データの取得先を表すＵＲＬ情報（図４（ｂ）に示すｄｅｔａｉｌ＿ＵＲＬタグに囲まれたＵＲＬ情報）に基づいて、対応する店舗サーバ４０に、通信部１９を介して詳細データを要求する。また、Ｓ８３０での処理を終了すると、制御部１１は、Ｓ８４０に移行し、店舗サーバ４０から送信されてくる応答データとしての詳細データを、通信部１９を介して受信するまで待機し、詳細データを受信すると、Ｓ８５０に移行して、受信した詳細データを、印刷部１５に印刷出力させる。その後、Ｓ６１０に移行する。
【００９５】
その他、制御部１１は、Ｓ８２０にて、利用者の操作が詳細印刷操作ではないと判断すると（Ｓ８２０でＮｏ）、Ｓ８６０に移行して、入力された操作情報に基づき、利用者の操作に対応する処理を実行する。例えば、カーソルキーＫ１，Ｋ２が操作された場合には、表示画面をスクロールし、不明な操作がなされた場合には、拒否音を出力する処理を実行する。その後、制御部１１は、Ｓ６２０に移行し、次の操作がなされるまで待機する。そして、利用者によりキャンセル操作がなされると（Ｓ６３０でＹｅｓ）、当該店舗紹介処理を終了する。
【００９６】
また、本実施例の複合機１０は、通話中に、相手先の電話装置５０からＤＴＭＦ（Dial Tone Multi Frequency）信号を受信したり、当該複合機１０の番号キーを利用者が操作することによりＤＴＭＦ信号を検出すると、このＤＴＭＦ信号を数値列に変換して、これを店舗サーバ４０に送信することにより、店舗サーバ４０から予約受付票データを取得する機能を有する。尚、予約受付票データは、上述した予約受付票作成プログラムにより店舗サーバ４０にて作成される。即ち、上述の機能は、複合機１０の利用者と店員との通話中に、店員が店舗サーバ４０を操作して、予約受付票データを店舗サーバ４０に作成させ、この際に店舗サーバ４０から店員に報知される予約受付番号を、店員が電話装置５０を操作して、利用者の複合機１０にＤＴＭＦ信号にて送信する、若しくは、店員を通じて口頭で知らされた予約受付番号を、複合機１０の利用者が予約意思確認のために番号キーを通じて入力する、ことにより、有効に働く。
【００９７】
図９は、この機能を実現するために、複合機１０の制御部１１が実行する通話中印刷処理を表すフローチャートである。複合機１０の制御部１１は、Ｓ６７０での発呼処理により電話通信部２１が通話状態となると、この通話中印刷処理を実行する。
【００９８】
通話中印刷処理を実行すると、制御部１１は、通話状態が終了したか否かを判断し、通話状態が終了していないと判断すると（Ｓ９１０でＮｏ）、Ｓ９２０に移行して、電話通信部２１がＤＴＭＦ信号を検出したか否かを判断する（Ｓ９２０でＮｏ）。そして、電話通信部２１がＤＴＭＦ信号を検出していないと判断すると、Ｓ９１０に移行する。このような処理により、制御部１１は、通話状態が終了するか、電話通信部２１がＤＴＭＦ信号を検出するまで待機する。
【００９９】
そして、通話状態が終了すると（Ｓ９１０でＹｅｓ）、当該通話中印刷処理を終了し、電話通信部２１がＤＴＭＦ信号を検出すると（Ｓ９２０でＹｅｓ）、電話通信部２１による変換処理を経て、電話通信部２１から得られるＤＴＭＦ信号に対応する数値列を、通話中の店舗に対応する店舗サーバ４０に送信する。具体的に、本実施例では店舗データが示す店舗サーバ４０のＵＲＬ情報に基づき、対応する店舗サーバ４０に、ＤＴＭＦ信号に対応する数値列を格納した予約受付票の要求データを送信する（Ｓ９３０）。
【０１００】
また、Ｓ９３０での処理を終了すると、制御部１１は、Ｓ９４０に移行し、店舗サーバ４０から送信されてくる応答データを、通信部１９を介して受信するまで待機し、応答データを受信すると、Ｓ９５０に移行して、受信した応答データが予約受付票データであるか否かを判断し、予約受付票データであると判断すると（Ｓ９５０でＹｅｓ）、受信した予約受付票データを、印刷部１５に印刷出力させる（Ｓ９６０）。
【０１０１】
一方、制御部１１は、受信データが予約受付票データではないと判断すると（換言すると、受信した応答データがエラーであることを示すデータであると判断すると）、応答データに基づいて、エラー情報を表示部２３ａに表示し（Ｓ９７０）、その後、Ｓ９１０に移行する。そして、通話状態が終了すると（Ｓ９１０でＹｅｓ）、当該通話中印刷処理を終了する。
【０１０２】
続いて、広告サーバ３０の制御部３１が実行する処理について説明する。図１０は、広告サーバ３０の制御部３１が実行する広告サーバ応答処理を表すフローチャートである。制御部３１は、通信部３３を通じて外部からデータを受信する度に、この広告サーバ応答処理を実行する。
【０１０３】
広告サーバ応答処理を実行すると、制御部３１は、Ｓ１０１０にて、受信データが、広告データを要求するデータであるか否かを判断し、受信データが広告データを要求するデータであると判断すると（Ｓ１０１０でＹｅｓ）、上述した広告データを、記憶部３５から読み出し、これを応答データとして、要求元の装置（複合機１０）に通信部３３を介して送信する（Ｓ１０２０）。その後、当該広告サーバ応答処理を終了する。
【０１０４】
一方、受信データが広告データを要求するデータではないと判断すると（１０１０でＮｏ）、制御部３１は、Ｓ１０３０に移行し、受信データが店舗データを要求するデータであるか否かを判断する。そして、受信データが店舗データを要求するデータであると判断すると（Ｓ１０３０でＹｅｓ）、要求された店舗データを、記憶部３５から読み出し、これを要求元の装置（複合機１０）に通信部３３を介して送信する（Ｓ１０４０）。その後、当該広告サーバ応答処理を終了する。
【０１０５】
その他、受信データが店舗データを要求するデータではないと判断すると（Ｓ１０３０でＮｏ）、制御部３１は、Ｓ１０５０に移行し、受信データが電話番号についての問合せデータであるか否かを判断し、受信データが電話番号についての問合せデータであると判断すると（Ｓ１０５０でＹｅｓ）、Ｓ１０６０に移行して、番号検索処理を実行する。尚、図１１は、制御部３１が実行する番号検索処理を表すフローチャートである。
【０１０６】
番号検索処理を開始すると、制御部３１は、Ｓ１０６１にて、問合せデータに格納された店舗コードに対応する電話番号を、発呼先データ内において検索し、この検索の結果得られた上記店舗コードに対応する電話番号を、応答データに格納して、これを、通信部３３を介し、問合せ元の複合機１０に送信する（Ｓ１０６３）。また、Ｓ１０６３での処理を終えると、制御部３１は、Ｓ１０６５に移行し、記憶部３５が記憶する問合せ履歴データにおける該当店舗の値（電話番号を検索した店舗コードに関連付けられた問合せ回数の値）を１加算する。その後、当該番号検索処理を終了する。また、Ｓ１０６０での番号検索処理を終了すると、制御部３１は、広告サーバ応答処理を終了する。
【０１０７】
また、Ｓ１０５０にて、受信データが電話番号についての問合せデータではないと判断すると（Ｓ１０５０でＮｏ）、制御部３１は、Ｓ１０７０に移行し、受信データが店舗データの有無についての問合せデータであるか否かを判断し、受信データが店舗データの有無についての問合せデータであると判断すると（Ｓ１０７０でＹｅｓ）、Ｓ１０８０にて、店舗検索処理を実行する。尚、図１２は、制御部３１が実行する店舗検索処理を表すフローチャートである。
【０１０８】
店舗検索処理を開始すると、制御部３１は、Ｓ１０８１にて、問合せデータに格納された電話番号に対応する店舗コードを、記憶部３５が記憶する発呼先データ内にて検索し、検索の結果、問合せデータに格納された電話番号に対応する店舗コードが得られた場合には、この店舗コードが記述された店舗データを、記憶部３５において検索する。
【０１０９】
そして、記憶部３５に、この店舗コードが記述された店舗データ（換言すると、問合せデータに格納された電話番号に対応する店舗データ）が存在する場合には、店舗データが記憶部３５に存在すると判断して（Ｓ１０８３でＹｅｓ）、Ｓ１０８５に移行する。そして、店舗データが存在する旨の情報と、問合せデータに格納された電話番号に対応する店舗データの取得先を表すＵＲＬ情報と、を格納した応答データを、問合せ元の複合機１０に、通信部３３を介して送信する。その後、当該店舗検索処理を終了する。
【０１１０】
一方、検索の結果、問合せデータに格納された電話番号に対応する店舗コードが得られなかった場合、若しくは、店舗コードに対応する店舗データが記憶部３５において存在しなかった場合には、店舗データが記憶部３５に存在しないと判断して（Ｓ１０８３でＮｏ）、店舗データが存在しない旨の情報を格納した応答データを、問合せ元の複合機１０に、通信部３３を介して送信する（Ｓ１０８７）。その後、当該店舗検索処理を終了する。また、このようにして、Ｓ１０８０で当該店舗検索処理を終了すると、広告サーバ応答処理を終了する。
【０１１１】
その他、Ｓ１０７０で、受信データが店舗データの有無についての問合せデータではないと判断すると（Ｓ１０７０でＮｏ）、制御部３１は、受信データに対応するその他の処理を実行した後に、当該広告サーバ応答処理を終了する。
【０１１２】
以上、広告サーバ３０の処理動作について説明したが、最後に、各店舗サーバ４０の処理動作について説明する。図１３は、各店舗サーバ４０の制御部４１が実行する店舗サーバ応答処理を表すフローチャートである。制御部４１は、通信部４３を介して外部からデータを受信する度に、当該店舗サーバ応答処理を実行する。
【０１１３】
店舗サーバ応答処理を開始すると、制御部４１は、受信データが、クーポンデータを要求するデータであるか否かを判断し（Ｓ１１１０）、受信データがクーポンデータを要求するデータであると判断すると（Ｓ１１１０でＹｅｓ）、この応答データとして、要求元の複合機１０に、記憶部４５に格納されたクーポンデータを、通信部４３を介して送信する（Ｓ１１２０）。その後、店舗サーバ応答処理終了する。
【０１１４】
一方、受信データが、クーポンデータを要求するデータではないと判断すると（Ｓ１１１０でＮｏ）、制御部４１は、Ｓ１１３０に移行し、受信データが詳細データを要求するデータであるか否かを判断する。そして、受信データが詳細データを要求するデータであると判断すると（Ｓ１１３０でＹｅｓ）、応答データとして、要求元の複合機１０に、記憶部４５に格納された詳細データを、通信部４３を介して送信する（Ｓ１１４０）。その後、店舗サーバ応答処理を終了する。
【０１１５】
また、受信データが詳細データを要求するデータではないと判断すると（Ｓ１１３０でＮｏ）、制御部４１は、Ｓ１１５０に移行して、受信データが数値列を含む予約受付票の要求データであるか否かを判断する。そして、受信データが予約受付票の要求データであると判断すると（Ｓ１１５０でＹｅｓ）、Ｓ１１６０に移行し、受信データに格納された数値列に対応する予約受付票データを、記憶部４５内において検索する。
【０１１６】
この検索の結果、予約受付票データが得られると、制御部４１は、Ｓ１１７０でＹｅｓと判断し、検索の結果得られた予約受付票データを、応答データとして、要求元の複合機１０に、通信部４３を介して送信する（Ｓ１１８０）。その後、当該店舗サーバ応答処理を終了する。一方、上記検索により予約受付票データが得られないと、制御部４１は、Ｓ１１７０でＮｏと判断し、エラー情報を格納した応答データを、要求元の複合機１０に、通信部４３を介して送信する（Ｓ１１９０）。その後、当該店舗サーバ応答処理を終了する。
【０１１７】
また、制御部４１は、受信データが予約受付票の要求データではないと判断すると（Ｓ１１５０でＮｏ）、Ｓ１２００にて、受信データに対応する処理を実行した後、当該店舗サーバ応答処理を終了する。
【０１１８】
以上、本実施例の通信システム１について説明したが、本実施例によれば、異種のネットワーク（電話回線網、コンピュータネットワーク）に存在する関連装置へのアクセスを連動して実行するように、複合機１０を構成しているので、関連装置へのアクセスにかかる利用者の操作を低減することができる。
【０１１９】
例えば、本実施例の通信システム１では、入力装置としての表示操作部２３を利用者が操作することにより、発呼操作が行われると（Ｓ１２０でＹｅｓ，Ｓ６４０でＹｅｓ）、複合機１０が、利用者により入力（指定）された電話番号先の電話装置、又は、利用者により指定された店舗に対応する電話番号先の電話装置に発呼する（Ｓ４１０，Ｓ６７０）。また、上記利用者の指定により発呼先が確定し、この発呼先への発呼が実行されると、複合機１０は、クーポン印刷確認画面を表示して（Ｓ４８０，Ｓ７１０）、利用者の意思確認後、予め取得した店舗データが示すクーポンデータの取得先を表すＵＲＬ情報に基づき、この発呼先の電話装置（店舗）に対応するクーポンデータを、コンピュータネットワークを通じて、対応する店舗サーバ４０から取得する（Ｓ５１０〜Ｓ５２０，Ｓ７４０〜Ｓ７５０）。そして、これを印刷部１５に印刷出力させる（Ｓ５３０，Ｓ７６０）。つまり、本実施例では、発呼処理と連動して、発呼先の店舗に対応するクーポンデータを、電話回線網とは異なるコンピュータネットワーク内の店舗サーバ４０から取得する。
【０１２０】
従って、本実施例によれば、利用者は、店舗に予約や問合せ等の電話をするために発呼操作を行う程度で、その店舗のクーポンデータを入手することができ、従来のように、クーポンデータを、パーソナルコンピュータ等を操作してコンピュータネットワーク（インターネット）から取得する必要がなく、クーポンデータの取得に際して煩わしい操作をしなくて済む。
【０１２１】
その他、本実施例の通信システム１では、表示操作部２３を利用者が操作することにより、クーポン印刷操作が行われると（Ｓ７３０でＹｅｓ）、複合機１０が、利用者により指定された店舗のクーポンデータを、このクーポンデータを管理する店舗サーバ４０から取得する（Ｓ７４０，Ｓ７５０）。
【０１２２】
また、上記利用者の店舗指定により取得対象のクーポンデータが確定し、このクーポンデータの取得が実行されると、複合機１０は、発呼確認画面を表示して（Ｓ８００）、発呼についての利用者の意思を確認した後、取得したクーポンデータに対応する店舗の電話番号を取得し（Ｓ６６０）、この電話番号先の電話装置に対し、呼を発する（Ｓ６７０）。即ち、本実施例ではクーポンデータの取得処理と連動して、クーポンデータに対応する店舗の電話番号先に呼を発し、店舗の電話装置５０と複合機１０との通信を確立する。
【０１２３】
従って、本実施例によれば、利用者は、クーポンデータを取得する程度で、店舗の電話番号等を入力する操作をすることなく、店員と通話することができ、予約等の行為を簡単にすることができる。
【０１２４】
また、本実施例では、受信したクーポンデータを、自装置に搭載された不揮発性の記憶媒体としての記憶部１７に保存する（Ｓ５４０，Ｓ７７０）と共に、保存したクーポンデータを再度印刷出力できるように複合機１０を構成しているので、利用者の必要に応じて迅速にクーポンを生成することができる。
【０１２５】
その他、本実施例では、店舗の電話番号と、この店舗のクーポンデータの取得先を表すＵＲＬ情報と、を関連付けて記憶するデータ群（本発明のデータベースに相当）を、複合機１０ではなく広告サーバ３０に設けているので、データ更新（店舗データの登録等）が容易である。更に言えば、本実施例では、クーポンデータを、各店舗に設置された店舗サーバ４０に保持させるようにシステムを構成しているので、クーポンデータの管理を、店員等に行わせることができ、クーポンデータの更新・管理が容易である。
【０１２６】
尚、本発明の通信装置は、複合機１０に相当し、データベースは、記憶部３５が記憶する店舗毎の店舗データ及び発呼先データからなるデータの集合に相当する。
【０１２７】
【０１２８】
【０１２９】
また、データ取得手段は、クーポン印刷操作が利用者によりなされると、利用者により指定された店舗のクーポンデータを取得する制御部１１の処理（Ｓ７３０〜Ｓ７５０）にて実現されており、発呼手段は、クーポンデータの取得後、クーポンデータに対応する店舗の電話装置に対して発呼する制御部１１の処理（Ｓ８１０でＹｅｓと判断した後のＳ６７０）にて実現されている。また、識別情報取得手段は、店舗データに示された電話番号の取得先を表すＵＲＬ情報に基づき、電話番号を広告サーバ３０に問合せて、取得したクーポンデータに対応する店舗の電話番号を取得する制御部１１の処理（Ｓ８１０でＹｅｓと判断した後のＳ６５０〜Ｓ６６０）にて実現されている。
【０１３０】
また、データ記録手段は、制御部１１が実行するＳ７７０の処理にて実現されている。その他、画像出力手段は、印刷部１５及び制御部１１が実行するＳ７６０の処理にて実現されている。また、店舗に関するデータは、店舗サーバ４０が記憶するクーポンデータに相当する。
【０１３１】
また、本発明の通信装置は、上記実施例に限定されるものではなく、種々の態様を採ることができる。
例えば、上記実施例では、Ｓ４８０，Ｓ７１０で、クーポン印刷確認画面を表示部２３ａに表示して、利用者に、クーポン印刷の意思を確認するようにしたが、利用者の意思を確認せずに、強制的に、クーポンデータの印刷出力を実行するように、複合機１０を構成してもよい。即ち、図７に示す発呼操作受付処理におけるＳ４８０及びＳ４９０のステップを削除して、Ｓ４７０の処理後、強制的にＳ５１０に移行するように、複合機１０を構成してもよい。また同様に、図８に示す店舗紹介処理におけるＳ７１０及びＳ７２０のステップを削除して、Ｓ７００でＹｅｓと判断した場合には、Ｓ６１０に移行し、Ｓ７００でＮｏと判断した場合には、ただちにＳ７４０に移行するように、複合機１０を構成してもよい。
【０１３２】
その他、上記実施例では、Ｓ８００にて、発呼確認画面を表示部２３ａに表示して、利用者に、発呼の意思を確認するようにしたが、利用者の意思を確認せずに、強制的に、店舗への発呼処理を実行するように、複合機１０を構成してもよい。即ち、図８に示す店舗紹介処理におけるＳ８００及びＳ８１０のステップを削除して、Ｓ７９０でＹｅｓと判断した場合には、Ｓ６１０に移行し、Ｓ７９０でＮｏと判断した場合には、ただちにＳ６５０に移行するように、複合機１０を構成してもよい。
【０１３３】
また、上記実施例では、店舗データに、店舗の電話番号ではなく、電話番号の取得先を表すＵＲＬ情報を格納したが、勿論、店舗データには、店舗の電話番号を、電話番号の取得先を表すＵＲＬ情報に代えて格納してもよい。
【０１３４】
店舗の電話番号を広告サーバ３０に問合せるように本実施例の通信システム１を構成したのは、広告サーバ３０にて提供される広告サービスについての利用頻度を、統計情報として出力できるようにするためである。本実施例のように、広告サービスの利用頻度を、各店舗毎に集計すれば、ビジネス上、広告サービスの有用性を、顧客としての店舗にアピールすることができて便利である。また、集計結果を、広告の効果と見なして、店舗に対して集計結果に応じた料金を課すことで、適正な課金を行うことができる。
【図面の簡単な説明】
【０１３５】
【図１】本発明が適用された通信システム１の構成を表す説明図である。
【図２】表示操作部２３の構成を示した説明図である。
【図３】広告サーバ３０が保持するデータの構成を表す説明図である。
【図４】広告データの構成例を表す説明図（ａ）及び店舗データの構成例を表す説明図（ｂ）である。
【図５】複合機１０が実行するクーポン提供に係る処理を概略的に表した説明図である。
【図６】複合機１０の制御部１１が行うメイン処理を表すフローチャートである。
【図７】制御部１１が実行する発呼操作受付処理を表すフローチャートである。
【図８】制御部１１が実行する店舗紹介処理を表すフローチャートである。
【図９】制御部１１が実行する通話中印刷処理を表すフローチャートである。
【図１０】広告サーバ３０の制御部３１が行う広告サーバ応答処理を表すフローチャートである。
【図１１】制御部３１が実行する番号検索処理を表すフローチャートである。
【図１２】制御部３１が実行する店舗検索処理を表すフローチャートである。
【図１３】店舗サーバ４０の制御部４１が行う店舗サーバ応答処理を表すフローチャートである。
【符号の説明】
【０１３６】
１…通信システム、１０…複合機、１１，３１，４１…制御部、１３…読取部、１５…印刷部、１７，３５，４５…記憶部、１７ａ…ＵＲＬ情報記憶部、１７ｂ…クーポンデータ記憶部、１９，３３，４３…通信部、２１…電話通信部、２３…表示操作部、２３ａ…表示部、２３ｂ…操作部、３０…広告サーバ、４０…店舗サーバ、５０…電話装置
【図１】
0004645320.tif 000002
【図２】
0004645320.tif 000003
【図３】
0004645320.tif 000004
【図４】
0004645320.tif 000005
【図５】
0004645320.tif 000006
【図６】
0004645320.tif 000007
【図７】
0004645320.tif 000008
【図８】
0004645320.tif 000009
【図９】
0004645320.tif 000010
【図１０】
0004645320.tif 000011
【図１１】
0004645320.tif 000012
【図１２】
0004645320.tif 000013
【図１３】
0004645320.tif 000014